(57)【要約】      （修正有）【課題】洋式便器の使用時に用いられて、簡単な構成であることから製造や使用が容易であり、飛散の抑制だけでなく音の減少の効果を期待できる洋式便器用飛散抑制用具を提供する。【解決手段】洋式便器用飛散抑制用具１は、洋式便器２の使用時に便器２の底部略中央個所に位置する尿などの放出物の受け凹部３の上方を覆う水解製紙部材からなるものであり、水解製紙部材は、凹部３の全体を覆う上方が突出している略半円形状となっている。【選択図】図１
0003228181.tif 000002
【実用新案登録請求の範囲】
【請求項１】
洋式便器の使用時に該便器の底部略中央個所に位置する尿などの放出物の受け凹部の上方を覆う水解製紙部材からなることを特徴とする洋式便器用飛散抑制用具。
【請求項２】
前記水解製紙部材は、前記凹部の全体を覆う上方が突出している略半円形状であることを特徴とする請求項１に記載した洋式便器用飛散抑制用具。
【考案の詳細な説明】
【技術分野】
【０００１】  本考案は、洋式便器の使用時における尿などの放出物による周囲への飛散を押さえるものである。
【背景技術】
【０００２】  洋式便器を使用する場合、特に男性が立ちながら小用を行う場合には、該便器までの距離が長く、尿などの放出物に勢いがある状態で該便器の底部などに当たり周囲に飛散することがあり、特に該便器の底部略中央個所に位置する該放出物の受け凹部には通常水洗後の液体（概ね水道水）が存在することから、これに当たって前記飛散が増長される問題がある。【０００３】  このような場合の対策として、各種のアイデアが周知となっている（下記先行技術文献参照）。
【先行技術文献】
【特許文献】
【０００４】
【特許文献１】特開２００２−２０００１０号公報
【特許文献２】実用新案登録第３１４４３２２７号公報
【特許文献３】実用新案登録第３２２０５６１号公報
【考案の概要】
【考案が解決しようとする課題】
【０００５】  斯かる先行技術文献は、形状が大がかりで構造が複雑であることから実用化に適しているとは言えないし、男性の使用時を主目的としているので、例えば使用時の音を懸念する女性については考慮されていない。【０００６】  さらに、軟便などで大便の便器への付着防止について考慮されているとは言えない。
【課題を解決するための手段】
【０００７】  このような問題を解決するために、本考案の洋式便器用飛散抑制用具は、洋式便器の使用時に該便器の底部略中央個所に位置する尿などの放出物の受け凹部の上方を覆う水解製紙部材からなるものである。【０００８】  特に、本考案の洋式便器用飛散抑制用具は、前記水解製紙部材が前記凹部の全体を覆う上方が突出している略半円形状である。
【考案の効果】
【０００９】  本考案に係る洋式便器用飛散抑制用具は、簡単な構成であることから製造や使用が容易であり、現有の既存便器にも即使用可能である。【００１０】  さらに、飛散抑制だけでなく音の減少の効果を期待できることから、男性と女性の区別なく好適なものとして使用することができる。【００１１】  また、排便時には大便の便器への付着防止も可能となり、このような効果は、一般家庭に限定されることなく、不特定多数が使用する公的施設や営業施設のトイレにおいてもその効果が大いに発揮できるものである。
【図面の簡単な説明】
【００１２】
【図１】  本考案の実施例の説明図である。
【考案を実施するための形態】
【００１３】  本考案に係る洋式便器用飛散抑制用具は、洋式便器の使用時に該便器の底部略中央個所に位置する尿などの放出物の受け凹部の上方を覆う水解製紙部材からなるものであり、この用具の表面に前記放出物が当たることから、飛散の主な原因となっていた該便器の底部略中央個所に位置する前記放出物の受け凹部に存在している水洗後の液体との衝突による飛散を大幅に押さえることができる。
【００１４】  特に、前記凹部の全体を覆う上方が突出している略半円形状とすることにより、前記放出物に対する圧力を分散して受け止められるので、長時間の前記放出物の衝突に耐えることができ、実用性を向上させることができる。
【実施例】
【００１５】  以下、図１に基づいて本考案の実施例を説明する。【００１６】  １は、本考案に係る洋式便器用飛散抑制用具であり、使用後に流して廃棄可能なトイレ用紙製クリーナー（例えば、特開２０１９−１７８４４６号公報参照）や検便採取用シート（例えば、特開２０１７−９６８３２号公報参照）のような水解製紙部材からなるもので、洋式便器２の使用時に便器２の底部略中央個所に位置する尿などの放出物の受け凹部３の上方を覆うように使用者が使用時に一枚ずつ使用することができるものである。【００１７】  ここで、洋式便器用飛散抑制用具１の下端には、便器２への設置を容易とするフランジ形状に形成することが望ましい場合を示しているが、必ずしも必要ではない。【００１８】  なお、一定の短時間（例えば、３分程度）は形状を維持できることが望ましいので、前記検便採取用シートのような材質が望ましい。【００１９】  この洋式便器用飛散抑制用具１の形状は、平坦な形状でも良いが、凹部３の全体を覆う上方が突出している略半円形状とすることにより、前記放出物に対する圧力を分散して受け止められるので長時間の使用に適する。【００２０】  なお、本考案の洋式便器用飛散抑制用具１は、男性の使用時を主目的としているが、例えば前記放出物（尿のみに限定されるものでなく大便を含む）が凹部３に存在している水洗後の液体（概ね水道水）に直接当たらないことから、使用時の音を減少させることもでき、女性にとっても好適なものとなる。【００２１】  また、大便の便器２への付着防止効果を有することから、衛生面や美的清掃管理面においても望ましく、洋式便器用飛散抑制用具１を使用する効果への期待は大きいものといえる。【００２２】  そして、使用後は、水洗により尿や便などとともに廃棄させるため、取り扱いも容易である。【００２３】  なお、本考案は、上記実施例に限定されるものではなく、材質の選択や形状（表面の凹凸や放尿時の放出方向を示す的印刷）などにおいて種々の変形が可能であることは言うまでもない。
【符号の説明】
【００２４】    １  洋式便器用飛散抑制用具
２  洋式便器
３  凹部
【図１】
0003228181.tif 000003
【手続補正書】
【提出日】令和2年2月28日(2020.2.28)
【手続補正１】
【補正対象書類名】実用新案登録請求の範囲
【補正対象項目名】全文
【補正方法】変更
【補正の内容】
【実用新案登録請求の範囲】
【請求項１】
洋式便器の使用時に該便器の底部略中央個所に位置する尿などの放出物の受け凹部（水たまり部）の上方を覆う水解製紙部材からなるものであって、前記水解製紙部材は、前記凹部を覆う上方が突出している略半円形状であることを特徴とする洋式便器用飛散抑制用具。（主に男性が立位で放尿時において、飛散抑制効果が期待できる。また、大便の排便時には便器への便の付着も抑制されるものである。）
【手続補正書】
【提出日】令和2年6月18日(2020.6.18)
【手続補正１】
【補正対象書類名】実用新案登録請求の範囲
【補正対象項目名】請求項１
【補正方法】変更
【補正の内容】
【請求項１】
洋式便器の使用時に該便器の底部略中央個所に位置する尿などの放出物の受け凹部の上方を覆う水解製紙部材からなるものであって、前記水解製紙部材は、前記凹部を覆う上方が突出している略半円形状であることを特徴とする洋式便器用飛散抑制用具。